(57)【要約】【課題】自現機内で発生する要因に起因する感度変動に対しては、対応も自現機内で行えるようにした画像形成方法および装置を提供すること。また、少なくとも液活性度，現像時間により液感度が決まり、かつこれらが変動する画像形成システムに適用するに好適な画像形成方法および装置を提供すること。【解決手段】少なくとも液活性度，現像時間により液感度が決まり、かつこれらが変動する画像形成システムにおける、感材に光記録・液現像処理を行って画像を形成する画像形成方法であって、前記液感度の決定要因である液活性度，現像時間の少なくとも一方を制御することにより、前記液現像処理を行う処理系の感度変動を補正することを特徴とする画像形成方法、およびこれを具体化した画像形成装置。【選択図】図１
2005049447.tif 000002
【特許請求の範囲】
【請求項１】
少なくとも液活性度，現像時間により液感度が決まり、かつこれらが変動する画像形成システムにおける、感材に光記録・液現像処理を行って画像を形成する画像形成方法であって、
前記液感度の決定要因である液活性度，現像時間の少なくとも一方を制御することにより、前記液現像処理を行う処理系の感度変動を補正することを特徴とする画像形成方法。
【請求項２】
前記液感度の決定要因として、さらに、液現像処理用の処理液の調液後の経過時間，調液後における感材の処理量の少なくとも一方を考慮した画像形成システムを対象として、
前記液感度の決定要因のうちの液活性度，現像時間の少なくとも一方を制御することにより、前記液現像処理を行う処理系の感度変動を補正することを特徴とする請求項１に記載の画像形成方法。
【請求項３】
感材に光記録・液現像処理を行って画像を形成する画像形成方法であって、
前記液現像処理を行う処理系の感度変動を、前記液現像処理の処理時間（現像時間）により補正することを特徴とする画像形成方法。
【請求項４】
前記処理系の感度変動ΔＳを、
ΔＳ＝ΔＳＡＣ＋ΔＳＴ  ＋ΔＳｔ  ＋ΔＳＡ  ＋ΔＳｔＤ          ……（１）
で決まるものとし、
ΔＳ＝０
とするために、
ΔＳｔＤ  ＝−（ΔＳＡＣ＋ΔＳＴ  ＋ΔＳｔ  ＋ΔＳＡ  ）      ……（２）
となるように現像時間を制御することを特徴とする請求項３に記載の画像形成方法。
ここで、ΔＳ：処理系の感度変動全体
ΔＳＡＣ：処理液活性度の変動に起因する感度変動
ΔＳＴ  ：処理液温度の変動に起因する感度変動
ΔＳｔ  ：処理液調液後の経過時間に起因する感度変動
ΔＳＡ  ：処理液調液後の感材処理量に起因する感度変動
ΔＳｔＤ  ：現像時間の変動に起因する感度変動
【請求項５】
前記処理液活性度として、少なくとも処理液の電導度，ｐ  Ｈ，液濃度のいずれかを含むことを特徴とする請求項１〜４のいずれか１項に記載の画像形成方法。
【請求項６】
前記処理液活性度として、処理液の電導度を用いることを特徴とする請求項５に記載の画像形成方法。
【請求項７】
前記ΔＳＡＣ（処理液活性度の変動に起因する感度変動）をΔＳＥＣ（処理液の電導度の変動に起因する感度変動）とし、かつ、このΔＳＥＣ並びに前記ΔＳＴ  ，ΔＳｔＤ  については一次式近似計算により、また、前記ΔＳｔ  ，ΔＳＡ  については変換テーブルを用いる変換により、前記式（２）に基づく演算を行うことを特徴とする請求項４に記載の画像形成方法。
【請求項８】
感材に光記録・液現像処理を行って画像を形成する画像形成装置であって、
前記液現像処理を行う処理系の感度変動を、前記液現像処理の現像時間により補正するための現像時間制御手段を有することを特徴とする画像形成装置。
【請求項９】
前記現像時間制御手段は、
前記処理系の感度変動ΔＳを、
ΔＳ＝ΔＳＡＣ＋ΔＳＴ  ＋ΔＳｔ  ＋ΔＳＡ  ＋ΔＳｔＤ        ……（１）
で決まるものとし、
ΔＳ＝０
とするために、
ΔＳｔＤ  ＝−（ΔＳＡＣ＋ΔＳＴ  ＋ΔＳｔ  ＋ΔＳＡ  ）      ……（２）
となるように現像時間を制御する機能を有するものであることを特徴とする請求項８に記載の画像形成装置。
【請求項１０】
前記現像時間制御手段は、
前記ΔＳＡＣ（処理液活性度の変動に起因する感度変動）をΔＳＥＣ（処理液の電導度の変動に起因する感度変動）とし、かつ、このΔＳＥＣ並びに前記ΔＳＴ  ，ΔＳｔＤ  については一次式近似計算により、また、前記ΔＳｔ  ，ΔＳＡ  については変換テーブルを用いる変換により、前記式（２）に基づく演算を行う機能を有するものであることを特徴とする請求項９に記載の画像形成装置。
【発明の詳細な説明】
【０００１】
【発明の属する技術分野】
本発明は、感材に光記録・液現像処理を行って画像を形成する画像形成方法および装置に関し、より具体的には、少なくとも液活性度，現像時間により液感度が決まり、かつこれらが変動する画像形成システムに適用するに好適な画像形成方法および装置に関する。
【０００２】
【従来の技術】
近年、コンピュータ技術の進歩に伴って、製版技術の分野においても、ＣＴＰ（Ｃｏｍｐｕｔｅｒ  ｔｏ    Ｐｌａｔｅ）、すなわち、製版時にフィルムを介在させずに直接、感光性を有する製版用材料（以下、感材という）に画像（イメージ）記録を行う技術が確立されている。
【０００３】
この技術では、例えば、露光用光源から照射される光ビームの点灯状態を、記録すべき原画像の画像データに基づいて生成された２値化画像信号によって制御し、露光用光源と感材とを相対的に移動させることによって上記光ビームを感材上で２次元的に走査させ、感材上に所望の画像が記録される。
【０００４】
【発明が解決しようとする課題】
このようなＣＴＰプロセスにおいて問題になる点としては、感材，処理系に起因する感度変動が挙げられる。これの発生原因としては、感材自体の感度のばらつきやその経時変化、あるいは処理液の活性度（以下、これを液活性度という）の変動等、種々の要因がある。
【０００５】
より具体的には、感材自体の感度ばらつき（製造ロット間，ロット内、さらには、１枚の感材における面内でのローカリティ等），感材感度の温湿度依存性，感材感度の経時変化，処理液の活性度（液活性度：電導度（電気伝導度），ｐ  Ｈ，液濃度）の変化，液温度の変化，新液調液後の経過時間，新液調液後における感材処理量など、さらには処理時間変動，物理処理（ブラシ圧力）のばらつき／ローカリティ，上記液活性度の検出誤差や補正残差などが挙げられる。
【０００６】
図６は、上述のようなＣＴＰプロセスにおける感材，露光機，処理機（自動現像機，以下、単に自現機という）における感度変動要因とその検出手段，補正手段（制御対象）をまとめた図である。
この図の意味するところは、例えば感材に起因する感度変動要因としては、感材のロット間，ロット内での感度ばらつき，感度の経時変化，感度の温度依存性などが考えられ、その検出手段としては、それぞれ、露光現像後のサンプルの濃度測定、もしくは露光時における露光部の温度検出を挙げることができるということである。
【０００７】
ここで問題となるのは、上述の感材に起因する感度変動に対しては補正手段がないということである。
【０００８】
ここで考慮すべき点は、自現機内で発生する感度変動要因としては、液活性度の変動（これは、より詳細には、電導度／ｐ  Ｈ／液濃度の変動，液温度の変動，新液調液後の経過時間，調液後の処理量が含まれる）並びに、現像時間の変動が挙げられるが、このうちでもっとも制御が容易なものは現像時間であり、次が、液活性度のうちの電導度／ｐ  Ｈ／液濃度，液温度であるということである。
【０００９】
本発明は、上記事情に鑑みてなされたもので、その目的とするところは、従来の技術における問題を解消し、自現機内で発生する要因に起因する感度変動に対しては、対応も自現機内で行えるようにした画像形成方法および装置を提供することにある。
【００１０】
本発明の他の目的は、少なくとも液活性度，現像時間により液感度が決まり、かつこれらが変動する画像形成システムに適用するに好適な画像形成方法および装置を提供することにある。
【００１１】
【課題を解決するための手段】
上記目的を達成するため、本発明に係る第１の画像形成方法は、少なくとも液活性度，現像時間により液感度が決まり、かつこれらが変動する画像形成システムにおける、感材に光記録・液現像処理を行って画像を形成する画像形成方法であって、前記液感度の決定要因である液活性度，現像時間の少なくとも一方を制御することにより、前記液現像処理を行う処理系の感度変動を補正することを特徴とするものである。
【００１２】
なお、前記前記液感度の決定要因として、さらに、液現像処理用の処理液の調液後の経過時間，調液後における感材の処理量の少なくとも一方を考慮した画像形成システムを対象として、前記液感度の決定要因のうちの液活性度，現像時間の少なくとも一方を制御することにより、前記液現像処理を行う処理系の感度変動を補正することも好ましい。
【００１３】
また、本発明に係る第２の画像形成方法は、感材に光記録・液現像処理を行って画像を形成する画像形成方法であって、前記液現像処理を行う処理系の感度変動を、前記液現像処理の処理時間（現像時間）により補正することを特徴とするものである。
【００１４】
ここで、前記処理系の感度変動ΔＳを、
ΔＳ＝ΔＳＡＣ＋ΔＳＴ  ＋ΔＳｔ  ＋ΔＳＡ  ＋ΔＳｔＤ          ……（１）
で決まるものとし、
ΔＳ＝０
とするために、
ΔＳｔＤ  ＝−（ΔＳＡＣ＋ΔＳＴ  ＋ΔＳｔ  ＋ΔＳＡ  ）      ……（２）
となるように現像時間を制御することが好ましい。
【００１５】
ただし、ΔＳ：処理系の感度変動全体
ΔＳＡＣ：処理液活性度の変動に起因する感度変動
ΔＳＴ  ：処理液温度の変動に起因する感度変動
ΔＳｔ  ：処理液調液後の経過時間に起因する感度変動
ΔＳＡ  ：処理液調液後の感材処理量に起因する感度変動
ΔＳｔＤ  ：現像時間の変動に起因する感度変動
【００１６】
また、本発明に係る画像形成方法においては、前記処理液活性度として、少なくとも処理液の電導度，ｐ  Ｈ，液濃度を含むことが好ましい。
また、前記処理液活性度として、処理液の電導度を用いることが特に好ましい。この場合には、前記ΔＳＡＣ（処理液活性度の変動に起因する感度変動）をΔＳＥＣ（処理液の電導度の変動に起因する感度変動）とし、かつ、このΔＳＥＣ並びに前記ΔＳＴ  ，ΔＳｔＤ  については一次式近似計算により、また、前記ΔＳｔ  ，ΔＳＡ  については変換テーブルを用いる変換により、前記式（２）に基づく演算を行うことが好ましい。
【００１７】
一方、本発明に係る画像形成装置は、画像感材に光記録・液現像処理を行って画像を形成する画像形成装置であって、前記液現像処理を行う処理系の感度変動を、前記液現像処理の現像時間により補正するための現像時間制御手段を有することを特徴とする。
【００１８】
ここで、前記現像時間制御手段は、
前記処理系の感度変動ΔＳを、
ΔＳ＝ΔＳＡＣ＋ΔＳＴ  ＋ΔＳｔ  ＋ΔＳＡ  ＋ΔＳｔＤ          ……（１）
で決まるものとし、
ΔＳ＝０
とするために、
ΔＳｔＤ  ＝−（ΔＳＡＣ＋ΔＳＴ  ＋ΔＳｔ  ＋ΔＳＡ  ）      ……（２）
となるように現像時間を制御する機能を有するものであることが好ましい。
【００１９】
なお、前記現像時間制御手段は、前記ΔＳＡＣ（処理液活性度の変動に起因する感度変動）をΔＳＥＣ（処理液の電導度の変動に起因する感度変動）とし、かつ、このΔＳＥＣ並びに前記ΔＳＴ  ，ΔＳｔＤ  については一次式近似計算により、また、前記ΔＳｔ  ，ΔＳＡ  については変換テーブルを用いる変換により、前記式（２）に基づく演算を行う機能を有するものであることが特に好ましい。
【００２０】
【発明の実施の形態】
以下、本発明の原理を説明した後、添付の図面に基づいて、本発明の実施の形態を詳細に説明する。
【００２１】
先に図６を用いて説明したように、自現機に起因する感度変動要因としては、大別して、液活性度の変動と現像時間の変動の２つが挙げられる。
このうち、前者の液活性度の変動は、さらに、電導度／ｐ  Ｈ／液濃度の変動と、液温度の変動，新液調液後における経過時間および新液調液後における感材処理量に分けられる。
【００２２】
本発明者は、これらの感度変動要因について細かく検討を重ねた結果、各感度変動要因が実際に感度変動に及ぼす影響の大きさが、次のような関係にあるとみなせるという結論を得た。すなわち、液活性度中の電導度／ｐ  Ｈ／液濃度の変動，液温度の変動，現像時間が変動した場合の影響は、一時式で近似できるものであること、残りの、新液調液後における経過時間および新液調液後における感材処理量の影響は、一時式で近似できるものではないということである。
【００２３】
これを基に、本発明者は、上述の各感度変動要因が感度変動に影響を与える大きさに注目して検討した結果、上記５つの項目を考慮してこれを制御することにより、画像形成装置内における感度変動を、実質的に十分に補正することができることを見出した。
【００２４】
すなわち、前記処理系の感度変動ΔＳは、
ΔＳ＝ΔＳＡＣ＋ΔＳＴ  ＋ΔＳｔ  ＋ΔＳＡ  ＋ΔＳｔＤ          ……（１）
で決まるものとすることが可能であること、従って、感度変動を抑止するためには、上記式（１）で、
ΔＳ＝０
とするように、各感度変動要因を調整すればよく、例えば現像時間を制御対象とした場合には、
ΔＳｔＤ  ＝−（ΔＳＡＣ＋ΔＳＴ  ＋ΔＳｔ  ＋ΔＳＡ  ）      ……（２）
となるように現像時間を制御すればよいということである。ここで、式中の記号の意味は、下記の通りである。
【００２５】
ΔＳ：処理系の感度変動全体
ΔＳＡＣ：処理液活性度の変動に起因する感度変動
ΔＳＴ  ：処理液温度の変動に起因する感度変動
ΔＳｔ  ：処理液調液後の経過時間に起因する感度変動
ΔＳＡ  ：処理液調液後の感材処理量に起因する感度変動
ΔＳｔＤ  ：現像時間の変動に起因する感度変動
【００２６】
つまり、ΔＳＡＣ，ΔＳＴ  ，ΔＳｔ  ，ΔＳＡ  の各値を求めた後、式（２）を用いてこれらの和を求めれば、補正（つまり、増減）すべき現像時間（ΔｔＤ  ）を求められるということであり、条件を仮定してはいるものの、先に述べたすべての感度変動要因の変動に対処することが可能になる。
以上が、本発明の原理である。以下、実施の形態を説明する。
【００２７】
図１は、本発明の一実施形態に係る画像形成方法を適用した画像形成装置における、自現機の現像時間制御機能部（装置）１０の全体構成を示すブロック図、図２〜図５は、この現像時間制御機能部１０内の各制御手段の詳細を示すブロック図である。
【００２８】
図１に示すように、本実施形態に係る現像時間制御機能部１０は、先に示した式（２）の演算を行う機能を実現した例を示すものであり、現像時間を除く４つの感度変動要因である、電導度，液温度，処理液調液後の経過時間（以下、単に経過時間ともいう），処理液調液後の感材処理量（以下、単に処理量ともいう）を基に、現像時間の補正量を演算するものである。
【００２９】
すなわち、本実施形態に係る現像時間制御機能部１０内には、電導度検出器１１，液温度検出器１２，経過時間算出器１３，処理量算出器１４の４つの検出・算出手段が配置されており、自現機における処理液の特性（電導度，液温度）や処理状況（経過時間，処理量）の情報を取得する。ここでは、これらの情報を、それぞれ、電導度：ＥＣ，液温度：Ｔ，経過時間：ｔ，処理面積：Ａと表わしている。なお、処理面積：Ａは、サイズ情報に基づく処理枚数：Ｎという情報に置き換えることができる。
【００３０】
次に、これらの情報を基に、それぞれに対応する感度変動演算器（１）２１〜同（４）２４において、上述の各特性に係る感度変動率が演算される。すなわち、感度変動演算器（１）２１では、電導度検出器１１において検出された現在の電導度と所定の標準値との差異から、この電導度の変動量に基づく感度変動率（ΔＳＥＣ、単位：％）が演算される。
【００３１】
同様に、感度変動演算器（２）２２では、液温度検出器１２において検出された現在の液温度と所定の標準値との差異から、この液温度の変動量に基づく感度変動率（ΔＳＴ  、単位：％）が演算される。感度変動演算器（３）２３，感度変動演算器（４）２４では、経過時間算出器１３，処理量算出器１４での算出量に基づいて、これらの各特性に基づく感度変動率（ΔＳｔ  ，ΔＳＡ  、単位：％）が演算される。
【００３２】
上述の感度変動演算器（１）２１〜同（４）２４における演算の詳細については、図２〜図５を用いて後に詳述する。
上述のような手順により演算された各感度変動要因に基づく感度変動率（ΔＳＥＣ，ΔＳＴ  ，ΔＳｔ  ，ΔＳＡ  ）は、加算器３１により加算されて、処理系の感度変動全体：ΔＳ（＝ΔＳＥＣ＋ΔＳＴ  ＋ΔＳｔ  ＋ΔＳＡ  ）として補正現像時間算出器４２に送られる。
【００３３】
補正現像時間算出器４２では、送られた処理系の感度変動全体：ΔＳを０にするために必要となる現像時間の補正値を算出する。この演算の詳細についても後に詳述する。算出された現像時間の補正値は、現像時間設定手段（感材搬送速度変更手段）５１に送られ、ここで上述の現像時間の補正値に見合った感材搬送速度に変更されることで、現像時間の補正値に設定される。
【００３４】
以下では、まず、図２〜図５に基づいて、前述の感度変動演算器（１）２１〜同（４）２４における演算の詳細を説明する。
感度変動演算器（１）２１においては、図２に示すように、予め用意されている基準電導度のデータ（電導度基準データ）２１３を用いて、まず、電導度差分算出器２１１において、現在の電導度（ＥＣ）と基準データ（ＥＣ０  ）との差分ΔＥＣ（＝ＥＣ−ＥＣ０  ）が算出される。
【００３５】
次いで、感度変化算出器２１２において、予め用意されている感度変動と電導度変動との間の関係を示す指標（感度ｖｓ電導度係数：ｋＥＣ）２１４と上述の差分ΔＥＣとから、電導度変動に起因する感度変動（ΔＳＥＣ、単位％）を算出する。なお、前述の通り、ここでは、感度変動と電導度変動との間の関係が、一次式で近似できるとみなしており、上述のｋＥＣ    はその比例係数に当たるものである。なお、算出された感度変化（ΔＳＥＣ）は、加算器３１を介して補正現像時間算出器４２に送られる。
【００３６】
同様に、感度変動演算器（２）２２においては、図３に示すように、予め用意されている基準液温度のデータ（液温度基準データ）２２３を用いて、まず、液温度差分算出器２２１において、現在の液温度（Ｔ）と基準データ（Ｔ０  ）との差分ΔＴ（＝Ｔ−Ｔ０  ）が算出される。
【００３７】
次いで、感度変化算出器２２２において、予め用意されている感度変動と液温度変動との間の関係を示す指標（感度ｖｓ液温度係数：ｋＴ  ）２２４と上述の差分ΔＴとから、液温度変動に起因する感度変動（ΔＳＴ  、単位％）を算出する。ここでも、ｋＴ  は比例係数を示している。算出された感度変化（ΔＳＴ  ）は、加算器３１を介して補正現像時間算出器４２に送られる。
【００３８】
一方、感度変動演算器（３）２３においては、図４に示すように、予め用意されている感度変動と経過時間との間の関係を示すテーブル（感度ｖｓ経過時間テーブル）２３２を参照して、経過時間に起因する感度変動（ΔＳｔ  、単位％）を算出する。前述の通り、経過時間と感度変動との間の関係は、一次式による近似は難しいので、ここでは、事前に用意した、対応テーブルが用いられている。算出された感度変化（ΔＳｔ  ）は、加算器３１を介して補正現像時間算出器４２に送られる点は、上述の場合と同様である。
【００３９】
また、感度変動演算器（４）２４においては、図５に示すように、予め用意されている感度変動と処理量との間の関係を示すテーブル（感度ｖｓ処理量テーブル）２４２を参照して、処理量に起因する感度変動（ΔＳＡ  、単位％）を算出する。前述の通り、処理量と感度変動との間の関係も、一次式による近似は難しいので、経過時間の場合と同様に、事前に用意した、対応テーブルが用いられている。算出された感度変化（ΔＳｔ  ）は、加算器３１を介して補正現像時間算出器４２に送られる点は、上述の場合と同様である。
【００４０】
次に、図１に戻って、補正現像時間算出器４２における現像時間の補正値を算出する演算の詳細を説明する。
補正現像時間算出器４２では、現在設定されている現像時間（設定現像時間：ｔＤ０）４３と、予め用意されている感度変動と現像時間変動との間の関係を示す指標（感度ｖｓ現像時間係数：ｋｔＤ  ）４１とから、現像時間変動に起因する感度変動を補正するための補正現像時間（ｔＤ０−ΔＳ／ｋｔＤ  ）を算出する。ここで、ｋｔＤ  は、感度変動と現像時間変動との間の関係を一次式で近似した場合の比例係数を示している。
【００４１】
上記実施形態に示した現像時間制御機能部１０は、現像時間を除く４つの感度変動要因である、電導度，液温度，経過時間，処理量を基に、現像時間の補正量を演算することにより、先に示した式（２）の演算を行う機能を実現した一例を示したものであり、これにより、感度変動要因の中で、もっとも検出および制御が容易な現像時間による、高精度な感度変動の補正を実現することが可能になったものである。
【００４２】
なお、上記実施形態は本発明の一例を示したものであり、本発明はこれに限定されるべきものではなく、本発明の要旨を逸脱しない範囲内において適宜の変更または改良を行ってもよいことはいうまでもない。
【００４３】
【発明の効果】
以上、詳細に説明したように、本発明によれば、自現機内で発生する要因に起因する感度変動に対しては、対応も自現機内で行えるようにした画像形成方法および装置を提供することができるという効果が得られる。また、少なくとも液活性度，現像時間により液感度が決まり、かつこれらが変動する画像形成システムに適用するに好適な画像形成方法および装置を提供することができるという効果が得られる。
【００４４】
より具体的には、自現機内で発生する要因に起因する感度変動に対して、液活性度もしくは現像時間の一方で対処するようにし、特に、主要な感度変動要因に起因する感度変動を一括して現像時間で補正するようにしたことにより、補正の精度を向上させるとともに、補正の操作を簡略化することができるという効果が得られるものである。
【図面の簡単な説明】
【図１】本発明の一実施形態に係る、自現機の現像時間制御機能部（装置）の全体構成を示すブロック図である。
【図２】図１中の現像時間制御機能部内の感度変動演算器（１）の詳細を示すブロック図である。
【図３】図１中の現像時間制御機能部内の感度変動演算器（２）の詳細を示すブロック図である。
【図４】図１中の現像時間制御機能部内の感度変動演算器（３）の詳細を示すブロック図である。
【図５】図１中の現像時間制御機能部内の感度変動演算器（４）の詳細を示すブロック図である。
【図６】感材，露光機，自現機荷置ける感度変動要因とその補正手段をまとめた図である。
【符号の説明】
１０  現像時間制御機能部（装置）
１１  電導度検出器
１２  液温度検出器
１３  経過時間算出器
１４  処理量算出器
２１  感度変動演算器（１）
２１１  電導度差分算出器
２１２  感度変化算出器
２１３  電導度基準データ（記憶部）
２１４  感度ｖｓ電導度係数（記憶部）
２２  感度変動演算器（２）
２２１  液温度差分算出器
２２２  感度変化算出器
２２３  液温度基準データ（記憶部）
２２４  感度ｖｓ液温度係数（記憶部）
２３  感度変動演算器（３）
２３１  感度変化算出器
２３２  感度ｖｓ経過時間係数（記憶部）
２４  感度変動演算器（４）
２４１  感度変化算出器
２４２  感度ｖｓ処理量係数（記憶部）
３１  加算器
４１  感度ｖｓ現像時間係数（記憶部）
４２  補正現像時間算出器
４３  設定現像時間（記憶部）
５１  現像時間設定手段
【図１】
2005049447.tif 000003
【図２】
2005049447.tif 000004
【図３】
2005049447.tif 000005
【図４】
2005049447.tif 000006
【図５】
2005049447.tif 000007
【図６】
2005049447.tif 000008